(57)【特許請求の範囲】
【請求項１】
光ディスクに照射されて反射された光ビームを前記光ディスクのラジアル方向に対応する方向に少なくとも４分割して検出できる光分割／検出ディバイスと、
前記分割／検出される光ビームの内側光領域に対する検出信号を減算した第１差信号と前記光ビームの外側光領域に対する検出信号を減算した第２差信号とをそれぞれ検出した後で前記第１及び第２差信号を互いに減算してウォッブル信号を検出すべく設けられた信号処理部とを含むことを特徴とする光ディスク装置。
【請求項２】
前記信号処理部は、前記第１及び／または第２差信号に所定のゲインを加えた後でその差信号を互いに減算してウォッブル信号を検出することを特徴とする請求項１に記載の光ディスク装置。
【請求項３】
前記光分割／検出ディバイスは、入射される光ビームを光ディスクのラジアル方向に対応する方向に少なくとも４分割して検出する光検出器であることを特徴とする請求項１に記載の光ディスク装置。
【請求項４】
前記光分割／検出ディバイスは、入射される光ビームを光ディスクのラジアル方向に対応する方向に少なくとも４分割する回折素子と、前記回折素子により分割された光ビーム部分をそれぞれ受光して光電変換する光検出器とを含んでなることを特徴とする請求項１に記載の光ディスク装置。
【請求項５】
前記光ディスクは、振幅、周波数または位相変調方式または鋸歯ウォッブル方式によりウォッブルが形成されることを特徴とする請求項１ないし４のうちいずれか一項に記載の光ディスク装置。
【請求項６】
光ディスクに照射されて反射された光ビームを前記光ディスクのラジアル方向に対応する方向に少なくとも４分割して検出する段階と、前記分割／検出される光ビームの内側光領域に対する検出信号を減算して得られた第１差信号と前記光ビームの外側光領域に対する検出信号を減算して得られた第２差信号とを互いに減算してウォッブル信号を検出する段階とを含むことを特徴とするウォッブル信号再生方法。
【請求項７】
前記第１及び／または第２差信号に所定のゲインを加える段階をさらに備えることを特徴とする請求項６に記載のウォッブル信号再生方法。
【請求項８】
前記光ディスクは、振幅、周波数または位相変調方式または鋸歯ウォッブル方式によりウォッブルが形成されることを特徴とする請求項６または７に記載のウォッブル信号再生方法。
【発明の詳細な説明】
【０００１】
【発明の属する技術分野】
本発明は光ディスク装置に係り、より詳細にはウォッブル変調方式で製造された光ディスクのウォッブル信号を再生できる光ディスク装置及びウォッブル信号再生方法に関する。
【０００２】
【従来の技術】
記録可能な光ディスク、例えばＣＤ−Ｒ／ＲＷ、ＤＶＤ−ＲＡＭ、ＤＶＤ−Ｒ／ＲＷ、ＤＶＤ＋ＲＷ型光ディスクには、光ピックアップが所望のトラックに正確に付き従えるようガイドするために、トラックに沿ってガイド溝が形成されている。この溝が形成された部分をグルーブ、残りの部分をランドと呼ぶ。記録方式としては、ＣＤ−Ｒ／ＲＷ、ＤＶＤ−Ｒ／ＲＷ、ＤＶＤ＋ＲＷなどのように、ランドとグルーブのうちどちらの一方にだけ使用者データを記録する方式と、ＤＶＤ−ＲＡＭなどのようにランドとグルーブどちらにも使用者データを記録する方式とがある。
【０００３】
記録可能な光ディスクのグルーブトラック及び／またはランドトラックには、製造時に振幅方向の変化を利用して光ディスクの回転速度制御と同期情報とを得るためのウォッブル信号が記録される。
【０００４】
一方、光ディスクには製造時に光ディスク上の物理的な位置認識のために、セクタアドレス情報のＰＩＤ（Ｐｈｙｓｉｃａｌ Ｉｄｅｎｔｉｆｉｃａｔｉｏｎ Ｄａｔａ）が記録される。ヘッダ領域に凹凸型プレピットを形成してアドレス情報を記録する方式は光ディスクの容量を落とし、再生専用光ディスクとの互換性側面で不利な点があるために、ウォッブルの振幅／周波数／位相などの変調によりアドレス情報を記録する方式が提案されている。ここで、ウォッブルの周波数／位相／振幅などを変調してアドレス情報を記録する方式は、単一周波数を有するウォッブル信号に一定周期の周波数、位相または振幅変化を付加してアドレス情報を記録する方法である。
【０００５】
本技術分野で公知のところによれば、ＣＤ−Ｒ／ＲＷ型光ディスクには、ウォッブル周期を変調する周波数変調方式によりアドレス情報が記録される。ＤＶＤ＋ＲＷ型光ディスクには、ウォッブルの位相を変調してアドレス情報が記録される。ここで、ＣＤ−Ｒ／ＲＷ及びＤＶＤ＋ＲＷ型光ディスクは、使用者データがグルーブにだけ記録されるために、各グルーブトラックの両側壁に周波数または位相変調されたウォッブルを形成してアドレス情報を記録することが可能であると知られている。
【０００６】
上記の通りにウォッブル信号に付加して記録されたアドレス情報の復元は、光ディスクから再生されたウォッブル信号を利用する。
【０００７】
図１はＤＶＤ＋ＲＷ型光ディスクのフォーマットに使われるＡＤＩＰ（Ａｄｄｒｅｓｓ−ｉｎ Ｐｒｅｇｒｏｏｖｅ）方式のＢＰＳＫ（Ｂｉ−Ｐｈａｓｅ Ｓｈｉｆｔ Ｋｅｙｉｎｇ）ウォッブル、すなわちｂｉ−ｐｈａｓｅ変調されたウォッブルが形成された光ディスクの一部分を示した図である。
【０００８】
従来には図１に示されたようなウォッブルが形成された光ディスクに対するアドレス情報を復元するために、光ピックアップの光検出器から検出されたラジアルプッシュプル信号（トラッキングエラー信号）をウォッブル信号として利用した。例えば、アドレス情報がウォッブルの位相を変調することにより光ディスクに記録された場合、ラジアルプッシュプル信号から特定周波数のウォッブル信号を抽出し、そのウォッブル信号の位相を検波する過程を通じてアドレス情報を復元する。
【０００９】
従って、アドレス情報を正しく復元するためには、光ディスクに記録されたウォッブル信号を正確に再生することが何よりも重要である。ここで、ラジアルプッシュプル信号は、光ディスクで反射された光ビームを光ディスクのラジアル方向に対応する方向に２分割して検出し、その検出信号を減算した信号である。
【００１０】
ところで、従来のラジアルプッシュプル信号を利用したウォッブル信号再生方式を適用する場合には、光ディスクの記録密度を高めるためにトラックピッチを狭めれば、隣接トラックのウォッブルによる干渉（クロストーク）で再生されたウォッブル信号のＳ／Ｎ（ｓｉｇｎａｌ−ｔｏ−ｎｏｉｓｅ）比が低下し、これにより正確なアドレス情報の復元が困難になる短所がある。
【００１１】
【発明が解決しようとする課題】
本発明は前記のような問題点を改善するために案出されたものであり、ウォッブル変調方式で製造された光ディスクのウォッブル信号再生時に、隣接トラックに形成されたウォッブルからの干渉による再生されるウォッブル信号の劣化を防止できる光ディスク装置及びウォッブル信号再生方法を提供するところにその目的がある。
【００１２】
【課題を解決するための手段】
前記目的を達成するための本発明による光ディスク装置は、光ディスクに照射されて反射された光ビームを前記光ディスクのラジアル方向に対応する方向に少なくとも４分割して検出できる光分割／検出ディバイスと、前記分割／検出される光ビームの内側光領域に対する検出信号を減算した第１差信号と前記光ビームの外側光領域に対する検出信号を減算した第２差信号とをそれぞれ検出した後で前記第１及び第２差信号を互いに減算してウォッブル信号を検出すべく設けられた信号処理部とを含むことを特徴とする。
【００１３】
ここで、前記信号処理部は、前記第１及び／または第２差信号に所定のゲインを加えた後でその差信号を互いに減算してウォッブル信号を検出することが望ましい。
【００１４】
前記光分割／検出ディバイスは、入射される光ビームを光ディスクのラジアル方向に対応する方向に少なくとも４分割して検出する光検出器でありうる。
【００１５】
代案として、前記光分割／検出ディバイスは、入射される光ビームを光ディスクのラジアル方向に対応する方向に少なくとも４分割する回折素子と、前記回折素子により分割された光ビーム部分をそれぞれ受光して光電変換する光検出器とを含んで構成されうる。
【００１６】
前記目的を達成するための本発明によるウォッブル信号再生方法は、光ディスクに照射されて反射された光ビームを前記光ディスクのラジアル方向に対応する方向に少なくとも４分割して検出する段階と、前記分割／検出される光ビームの内側光領域に対する検出信号を減算して得られた第１差信号と前記光ビームの外側光領域に対する検出信号を減算して得られた第２差信号とを互いに減算してウォッブル信号を検出する段階とを含むことを特徴とする。
【００１７】
ここで、前記第１及び／または第２差信号に所定のゲインを加える段階をさらに備えることが望ましい。
【００１８】
以上で、前記光ディスクは、振幅、周波数または位相変調方式または鋸歯ウォッブル（ＳＴＷ：Ｓａｗ Ｔｏｏｔｈ Ｗｏｂｂｌｅ）方式によりウォッブルが形成されるものでありうる。
【００１９】
【発明の実施の形態】
図２は本発明の望ましい一実施形態による光ディスク装置を概略的に示した図であり、図３及び図４は本発明による光ディスク装置に適用可能な光ピックアップの例を示した図である。
【００２０】
図２を参照すれば、本発明による光ディスク装置は、光ディスクに照射されて反射された光ビームＬＢを前記光ディスクのラジアル方向に対応する方向（以下、Ｒ方向）に少なくとも４分割して検出する光分割／検出ディバイス１０と、隣接トラックに形成されたウォッブルからの干渉がほとんど除去されたウォッブル信号を検出できる信号処理部３０とを含んで構成される。
【００２１】
光分割／検出ディバイス１０は、光ピックアップに光ディスクの情報信号及びエラー信号を検出するために採用される。この光分割／検出ディバイス１０は、例えば図２に示されたように、光ディスクで反射された光ビームＬＢをＲ方向に１対の内側光領域Ｌ１，Ｌ２と１対の外側光領域Ｌ３，Ｌ４とに分割／検出し、１対の内側光領域Ｌ１，Ｌ２に対する第１及び第２検出信号ｓ１，ｓ２と、１対の外側光領域Ｌ３，Ｌ４に対する第３及び第４検出信号ｓ３，ｓ４とを出力すべく設けられることが望ましい。
【００２２】
図２及び図３を参照するに、光分割／検出ディバイス１０としては、光ディスク５０の記録面５０ａから反射された光ビームＬＢをＲ方向に分割した１対の内側光領域Ｌ１，Ｌ２を受光して第１及び第２検出信号ｓ１，ｓ２を出力する１対の内側受光領域ｓ１，ｓ２と、前記１対の外側光領域Ｌ３，Ｌ４を受光して第３及び第４検出信号ｓ３，ｓ４を出力する１対の外側受光領域ｓ３，ｓ４とを備える少なくとも４分割構造の光検出器１５を備えうる。
【００２３】
代案として、図４を参照するに、光分割／検出ディバイス１０は、光ディスクで反射された光ビームＬＢをＲ方向に１対の内側光領域Ｌ１，Ｌ２と１対の外側光領域Ｌ３，Ｌ４とに少なくとも４分割する回折素子７１と、回折素子７１により分割された内側光領域Ｌ１，Ｌ２及び外側光領域Ｌ３，Ｌ４をそれぞれ受光して光電変換し、第１ないし第４検出信号ｓ１，ｓ２，ｓ３，ｓ４を出力する光検出器７５とを含んで構成されうる。回折素子７１としては、ホログラム素子を備えうる。光検出器７５としては、示されたように別途になった少なくとも４つの光検出器を備えるか、受光領域が互いに離隔された単一光検出器を備えうる。
【００２４】
ここで、本発明による光ディスク装置に適用可能な光ピックアップの例を示した図３及び図４を参照するに、光源５１から出射される発散光ビームはコリメーティングレンズ５３により平行光ビームに変えられた後で、光路変換器５５を透過して対物レンズ５７に入射される。この入射光ビームは対物レンズ５７により集束されて光ディスク５０の記録面５０ａ上にフォーカシングされる。光ディスク５０の記録面５０ａから反射された光ビームは対物レンズ５７を経た後、光路変換器５５で反射されて光分割／検出ディバイス１０に向かう。図３に示されたように、光分割／検出ディバイス１０として光検出器１５を備える場合、光路変換器５５で反射された光ビームは集束レンズ５９により集束されて光検出器１５に分割／受光される。図４に示されたように、光分割／検出ディバイス１０として回折素子７１と光検出器７５とを備える場合、光路変換器５５で反射された光は回折素子７１で分割された後で集束レンズ５９により集束されて光検出器７５に受光される。
【００２５】
また、図２を参照するに、信号処理部３０は、光分割／検出ディバイス１０で分割／検出された１対の内側光領域Ｌ１，Ｌ２に対する第１及び第２検出信号ｓ１，ｓ２を減算して第１差信号（ｓ１−ｓ２）を出力する第１減算器３１と、１対の外側光領域Ｌ３，Ｌ４に対する第３及び第４検出信号ｓ３，ｓ４を減算して第２差信号ｓ３−ｓ４を出力する第２減算器３３と、前記第１及び第２差信号（ｓ１−ｓ２，ｓ３−ｓ４）を減算してウォッブル信号を出力する第３減算器３７とを含む。
【００２６】
第１減算器３１の出力端と第３減算器３７の入力端間には第１差信号（ｓ１−ｓ２）に所定ゲインζを加えるゲイン調整器３５がさらに備わることが望ましい。ゲイン調整器３５は第１差信号（ｓ１−ｓ２）を増幅または減少させる。
【００２７】
信号処理部３０が図２に示されたような構成を有する時、信号処理部３０から出力されるウォッブル信号は式（１）の如く示せる。
【００２８】
ウォッブル信号＝（ｓ３−ｓ４）−ζ・（ｓ１−ｓ２）      （１）
ここで、ゲイン調整器３５にてζは第１差信号（ｓ１−ｓ２）に加えられるゲインである。
【００２９】
以下では、図５Ａないし図６Ｂ、図８Ａないし図１２Ｂを参照しつつ、前記のような本発明による光ディスク装置により、隣接トラックウォッブルによるクロストークが除去されたウォッブル信号を検出できることを説明する。
【００３０】
図５Ａ及び図６ＡはそれぞれＤＶＤ＋ＲＷ光ディスクに適用されるＢＰＳＫ変調、すなわちｂｉ−ｐｈａｓｅ位相変調されたウォッブルが形成された光ディスクの一部分を示した図であり、図５Ｂ及び図６Ｂはそれぞれ図５Ａ及び図６Ａに示された光ディスクのウォッブル信号を再生する時、従来のラジアルプッシュプル信号と本発明による光ディスク装置から検出されるウォッブル信号とを示したグラフである。従来のラジアルプッシュプル信号、すなわち従来のウォッブル信号は光ディスクの記録面で反射された光ビームＬＢをＲ方向に２分割して検出し、その検出信号を互いに減算して得られる信号であり、本発明による信号処理部３０の第１及び第２減算器３１，３３で検出される第１及び第２差信号（ｓ１−ｓ２，ｓ３−ｓ４）の和信号に該当する。ここで、ウォッブル信号の０はｓｉｎ（ωｔ）、ウォッブル信号の１はｓｉｎ（ωｔ＋１８０°）と示されたものと仮定する。
【００３１】
図５Ａに示されたように、再生するグルーブにウォッブルがなくて隣接トラックにだけウォッブルが存在する場合、再生される従来のラジアルプッシュプル信号と本発明による光ディスク装置で検出されるウォッブル信号とは図５Ｂに示されたようである。図５Ｂから分かるように、光ビームＬＢがウォッブルがないグルーブに付き従う場合にも、従来の再生方式により検出されるウォッブル信号（以下、従来のウォッブル信号）は隣接トラックに形成されたウォッブルにより大きく影響される。一方、本発明による再生方式により検出されるウォッブル信号（以下、本発明のウォッブル信号）は隣接トラックに形成されたウォッブルによる影響をほとんど受けない。すなわち、本発明によれば、隣接トラックに形成されたウォッブルによるクロストークがほとんど除去されたウォッブル信号を検出できる。図５Ｂ及び以下にて説明するグラフにおいて、本発明による光ディスク装置で検出されるウォッブル信号は第１差信号（ｓ１−ｓ２）に所定ゲイン（ζ＝１．３）を加えて求められたものが例示されている。
【００３２】
図５Ａ及び図５Ｂを参照して説明されているように、本発明によれば、隣接トラックに形成されたウォッブルによるクロストークがほとんど除去されたウォッブル信号を検出できるために、図６Ａ及び図６Ｂに示されたように、ウォッブルが形成されたグルーブを再生する場合にも、再生される従来のウォッブル信号は隣接トラックに形成されたウォッブルにより大きく影響される一方、本発明によればクロストークがほとんど除去されたウォッブル信号が検出される。
【００３３】
ここで、光ディスクで反射される内側光領域Ｌ１，Ｌ２に対するプッシュプル信号である第１差信号（ｓ１−ｓ２）と、その外側光領域Ｌ３，Ｌ４に対するプッシュプル信号である第２差信号（ｓ３−ｓ４）とは図７に示されたように、位相は互いに一致し、若干の振幅差だけある。従って、前記第１及び第２差信号（ｓ１−ｓ２，ｓ３−ｓ４）を合算した信号に該当する従来のウォッブル信号は、位相が一致する第１及び第２差信号（ｓ１−ｓ２，ｓ３−ｓ４）の振幅がより大になるので、隣接トラックに形成されたウォッブルによるクロストークに大きく影響されるようになる。一方、本発明のウォッブル信号は、数式１を満足すべく第１及び第２差信号（ｓ１−ｓ２，ｓ３−ｓ４）を演算すれば、第１及び第２差信号（ｓ１−ｓ２，ｓ３−ｓ４）の振幅が減算されるので、隣接トラックに形成されたウォッブルによるクロストークがほとんど除去される。
【００３４】
本発明による光ディスク装置は図５Ａ及び図６Ａを参照して説明されたような位相変調方式のウォッブルが形成された光ディスクだけではなく、振幅変調方式、周波数変調方式及びＳＴＷ方式の光ディスクに対しても隣接トラックに形成されたウォッブルによるクロストークがほとんど除去されたウォッブル信号を検出できる。
【００３５】
図８Ａ及び図９Ａは振幅変調方式によりウォッブルが形成された光ディスクを示し、図８Ｂ及び図９Ｂはそれぞれ図８Ａのウォッブルが形成されていないグルーブ及び図９Ａのウォッブルが形成されているグルーブを再生する時、再生される従来のウォッブル信号及び本発明のウォッブル信号を示したグラフである。
【００３６】
図８Ａないし図９Ｂより分かるように、振幅変調方式によりウォッブルが形成された光ディスクの場合にも本発明を適用すれば、隣接トラックに形成されたウォッブルによるクロストークがほとんど除去されたウォッブル信号を検出できる。
【００３７】
図１０Ａ及び図１１Ａは周波数変調方式によりウォッブルが形成された光ディスクを示し、図１０Ｂ及び図１１Ｂはそれぞれ図１０Ａのウォッブルが形成されていないグルーブ及び図１１Ａのウォッブルが形成されているグルーブを再生する時、再生される従来のウォッブル信号及び本発明によるウォッブル信号を示したグラフである。
【００３８】
図１０Ａないし図１１Ｂより分かるように、周波数変調方式によりウォッブルが形成された光ディスクの場合にも本発明を適用すれば、隣接トラックに形成されたウォッブルによるクロストークがほとんど除去されたウォッブル信号を検出できる。
【００３９】
図１２ＡはＳＴＷ方式によりウォッブルが形成された光ディスクを示し、図１２Ｂは図１２Ａのウォッブルが形成されたグルーブを再生する時、再生される従来のウォッブル信号及び本発明によるウォッブル信号を示したグラフである。
【００４０】
図１２Ａ及び図１２Ｂより分かるように、ＳＴＷ方式によりウォッブルが形成された光ディスクの場合にも本発明を適用すれば、隣接トラックに形成されたウォッブルによるクロストークがほとんど除去されたウォッブル信号を検出できる。
【００４１】
以上にて説明された図５Ｂ、図６Ｂ、図８Ｂ、図９Ｂ、図１０Ｂ、図１１Ｂ及び図１２Ｂに示された従来のウォッブル信号及び本発明のウォッブル信号は表１の条件より得られたものである。
【００４２】
【表１】
0004086561.tif 000002
以上より分かるように本発明によれば、ウォッブル変調方式に関係なく、ウォッブルが形成された光ディスクのウォッブル信号再生時に、隣接トラックに形成されたウォッブルによるクロストークがほとんど除去されたウォッブル信号を検出できる。
【００４３】
以上では本発明が、第１差信号（ｓ１−ｓ２）に所定ゲインζを加えるべく設けられた場合を例に説明及び示されたが、本発明はこれに限定されるものではない。すなわち、本発明は第２差信号（ｓ３−ｓ４）に所定ゲインζを加えたり、第１及び第２差信号（ｓ１−ｓ２，ｓ３−ｓ４）にそれぞれ互いに独立的で所定ゲインを加えるようにされうる。
【００４４】
一方、本発明による光ディスク装置は再生されるウォッブル信号に含まれたノイズ成分を除去するために、特定周波数のウォッブル信号だけを抽出する回路、例えば適用された変調方式により信号処理部３０で検出されたウォッブル信号の低周波成分または高周波成分だけを除去する帯域通過フィルタ（図示せず）をさらに備えうる。このように、特定周波数のウォッブル信号だけを抽出する回路をさらに備えれば、再生されるウォッブル信号に含まれたノイズ成分を除去でき、一層良好な特性のウォッブル信号を求められる。ここで、振幅、周波数及び位相変調方式によりウォッブルが形成された光ディスクについては低周波成分を除去して高周波成分だけを通過させる帯域通過フィルタが適用され、ＳＴＷ方式によりウォッブルが形成された光ディスクについては高周波成分を除去して低周波成分だけを通過させる帯域通過フィルタが適用される。このような帯域通過フィルタを適用する技術は本技術分野で公知であるので、ここではさらなる詳細な説明を省略する。
【００４５】
また、本発明による光ディスク装置は、前記のウォッブル信号またはそれから抽出された特定周波数のウォッブル信号からアドレス情報を復元する回路（図示せず）をさらに備えうる。ここで、本発明による光ディスク装置が特定周波数のウォッブル信号を抽出する回路なしにウォッブル信号からアドレス情報を復元する回路だけをさらに備える場合にも、図５Ｂ、図６Ｂ、図８Ｂ、図９Ｂ、図１０Ｂ、図１１Ｂ及び図１２Ｂに示されたグラフを通じて分かるように、本発明の信号処理部３０の第３減算器３７から出力されるウォッブル信号はかなり良好な状態であるゆえに、そこからアドレス情報を復元するにおいて大きな問題はない。ここで、前記のアドレス情報復元回路についても本技術分野にて公知であるので、ここではその詳細な説明は省略する。
【００４６】
【発明の効果】
前記のような本発明によれば、ウォッブル変調方式で製造された光ディスクのウォッブル信号再生時に、記録密度の向上のためにトラックピッチを減らした光ディスクについても隣接トラックウォッブルからの干渉（クロストーク）によるウォッブル信号の劣化を防止できる。
【図面の簡単な説明】
【図１】ＤＶＤ＋ＲＷ型光ディスクのフォーマットに使われるＡＤＩＰ方式のＢＰＳＫウォッブルが形成された光ディスクの一部分を示した図である。
【図２】本発明の望ましい一実施形態による光ディスク装置を概略的に示した図である。
【図３】本発明による光ディスク装置に適用可能な光ピックアップの例を示した図である。
【図４】本発明による光ディスク装置に適用可能な光ピックアップの例を示した図である。
【図５Ａ】ＤＶＤ＋ＲＷ光ディスクに適用されるＢＰＳＫ変調されたウォッブルが形成された光ディスクの一部分を示した図である。
【図５Ｂ】図５Ａに示された光ディスクのウォッブルが形成されていないグルーブを再生する時に、従来のウォッブル信号と本発明のウォッブル信号とを示したグラフである。
【図６Ａ】ＤＶＤ＋ＲＷ光ディスクに適用されるＢＰＳＫ変調されたウォッブルが形成された光ディスクの一部分を示した図である。
【図６Ｂ】図６Ａに示された光ディスクのウォッブルが形成されたグルーブを再生する時に、従来のウォッブル信号と本発明のウォッブル信号とを示したグラフである。
【図７】図５Ａに示された光ディスクのウォッブルが形成されていないグルーブを再生する時に、その光ディスクで反射された光ビームの内側光領域についてプッシュプル信号である第１差信号（ｓ１−ｓ２）と、その外側光領域についてプッシュプル信号である第２差信号（ｓ３−ｓ４）とを示したグラフである。
【図８Ａ】振幅変調方式によりウォッブルが形成された光ディスクを示した図である。
【図８Ｂ】図８Ａの光ディスクのウォッブルが形成されていないグルーブを再生する時に、再生される従来のウォッブル信号及び本発明のウォッブル信号を示したグラフである。
【図９Ａ】振幅変調方式によりウォッブルが形成された光ディスクを示した図である。
【図９Ｂ】図９Ａの光ディスクのウォッブルが形成されたグルーブを再生する時に、再生される従来のウォッブル信号及び本発明のウォッブル信号を示したグラフである。
【図１０Ａ】周波数変調方式によりウォッブルが形成された光ディスクを示した図である。
【図１０Ｂ】図１０Ａの光ディスクのウォッブルが形成されていないグルーブを再生する時に、再生される従来のウォッブル信号及び本発明によるウォッブル信号を示したグラフである。
【図１１Ａ】周波数変調方式によりウォッブルが形成された光ディスクを示した図である。
【図１１Ｂ】図１１Ａの光ディスクのウォッブルが形成されたグルーブを再生する時に、再生される従来のウォッブル信号及び本発明によるウォッブル信号を示したグラフである。
【図１２Ａ】ＳＴＷ方式によりウォッブルが形成された光ディスクを示した図である。
【図１２Ｂ】図１２Ａの光ディスクのウォッブルが形成されたグルーブを再生する時、再生される従来のウォッブル信号及び本発明のウォッブル信号を示したグラフである。
【符号の説明】
１０  光分割／検出デバイス
１５  光検出器
３０  信号処理部
３１  第１減算器
３３  第２減算器
３５  ゲイン調整器
３７  第３減算器
Ｌ１，Ｌ２  内側光領域
Ｌ３，Ｌ４  外側光領域
ｓ１，ｓ２，ｓ３，ｓ４  第１ないし第４検出信号
ＬＢ  光ビーム
【図１】
0004086561.tif 000003
【図２】
0004086561.tif 000004
【図３】
0004086561.tif 000005
【図４】
0004086561.tif 000006
【図５Ａ】
0004086561.tif 000007
【図５Ｂ】
0004086561.tif 000008
【図６Ａ】
0004086561.tif 000009
【図６Ｂ】
0004086561.tif 000010
【図７】
0004086561.tif 000011
【図８Ａ】
0004086561.tif 000012
【図８Ｂ】
0004086561.tif 000013
【図９Ａ】
0004086561.tif 000014
【図９Ｂ】
0004086561.tif 000015
【図１０Ａ】
0004086561.tif 000016
【図１０Ｂ】
0004086561.tif 000017
【図１１Ａ】
0004086561.tif 000018
【図１１Ｂ】
0004086561.tif 000019
【図１２Ａ】
0004086561.tif 000020
【図１２Ｂ】
0004086561.tif 000021